(57)【要約】【課題】様々な方向からの外光が投影装置に入射されても、外光の照度を正確に検出して、投影光を適切な明るさにできるようにする。【解決手段】投影装置１は、前面３、後面４、左側面５、右側面６、上面７及び下面８を有した筐体２と、筐体２内に設けられた表示素子４５と、筐体２内に設けられた光源装置４７と、筐体２に取り付けられ、表示素子４５に照射された光を投影する投影光学系１０と、筐体２の前面３、後面４、左側面５、右側面６及び上面７にそれぞれ設けられ、受光した光の照度を検出して、その検出値を出力する複数の照度センサ２３〜２７と、複数の照度センサ２３〜２７によって出力された複数の検出値Ｄ３〜Ｄ８を読み込み、これら検出値Ｄ３〜Ｄ８を利用して光源装置４７の強度を設定するメインコントローラ５０と、を備える。【選択図】図６
2015055687.tif 000002
【特許請求の範囲】
【請求項１】
互いに異なる向きに向いた複数の外面を有した筐体と、
前記筐体内に設けられた表示素子と、
前記筐体内に設けられた光源装置と、
前記筐体に取り付けられ、前記表示素子に照射された光を投影する投影光学系と、
前記複数の外面内にそれぞれ設けられ、受光した光の照度を検出する複数の照度センサと、
前記複数の照度センサによって出力された複数の検出値を利用して前記光源装置の強度を設定する制御部と、を備える、
ことを特徴とする投影装置。
【請求項２】
前記複数の外面には、それぞれ透光部が設けられ、
前記透光部から入射された前記光の照度を検出する前記照度センサは、前記透光部と対向する位置に設けられている、
ことを特徴とする請求項１に記載の投影装置。
【請求項３】
前記制御部が、
数値範囲で規定された複数の段からなる段階を利用して、前記複数の検出値を前記複数の段の数値範囲と比較し、前記複数の検出値が前記複数の段のうち何れの段の数値範囲に属するかを判定する判定処理と、
前記複数の段に属する検出値の数を前記複数の段ごとに計数する計数処理と、
前記複数の段のうち、前記計数処理によって計数した計数値の中で最大値をとる段に対応付けられた設定値に応じた強度で前記光源装置を発光させる調光処理と、を実行する、
ことを特徴とする請求項１又は２に記載の投影装置。
【請求項４】
前記制御部が、
前記複数の検出値のうち最大値と最小値を除く検出値の平均値を算出する平均値算出処理と、
数値範囲で規定された複数の段からなる段階を利用して、前記平均値前記複数の段の数値範囲と比較し、前記平均値が前記複数の段のうち何れの段の数値範囲に属するかを判定する判定処理と、
前記複数の段のうち、前記平均値が属する段に対応付けられた設定値に応じた強度で前記光源装置を発光させる調光処理と、を実行する、
ことを特徴とする請求項１又は２に記載の投影装置。
【請求項５】
前記複数の照度センサは、前記筐体内に設けられた固定部の各面に設けられている、又は、前記外面の折り返し部分に基板を介して固定されている、
ことを特徴とする請求項１乃至４の何れか一項に記載の投影装置。
【発明の詳細な説明】
【技術分野】
【０００１】
本発明は、投影装置に関する。
【背景技術】
【０００２】
投影装置は、光源装置によって可視光を表示素子に照射し、表示素子に照射された光を映像信号に基づいて表示素子によって変調し、表示素子によって変調された光を投影光学系によって投影するものである。投影装置には、外光を受光するとともにその外光の照度を検出する照度センサが設けられたものがある（特許文献１参照）。照度センサは投影映像の調整に利用される。例えば照度センサによって検出された照度が低ければ、光源装置の明るさを下げ、照度センサによって検出された照度が高ければ、映像のコントラストを強調して映像を明るくする（特許文献１参照）。
【先行技術文献】
【特許文献】
【０００３】
【特許文献１】特開２０１３−７３０３９号公報
【発明の概要】
【発明が解決しようとする課題】
【０００４】
ところで、照度センサが投影装置の筐体のうち主に上面に設けられているので（特許文献１参照）、上以外の特定の方向からの外光が投影装置に入射すると、その外光の照度を正確に検出することができなかった。
そこで、本発明が解決しようとする課題は、様々な方向からの外光が投影装置に入射されても、外光の照度を正確に検出して、投影光を適切な明るさにできるようにすることである。
【課題を解決するための手段】
【０００５】
以上の課題を解決するために、投影装置が、互いに異なる向きに向いた複数の外面を有した筐体と、前記筐体内に設けられた表示素子と、前記筐体内に設けられた光源装置と、前記筐体に取り付けられ、前記表示素子に照射された光を投影する投影光学系と、前記複数の外面内にそれぞれ設けられ、受光した光の照度を検出する複数の照度センサと、前記複数の照度センサによって出力された複数の検出値を利用して前記光源装置の強度を設定する制御部と、を備えることを特徴とする。
【発明の効果】
【０００６】
本発明によれば、複数の照度センサが筐体の複数の外面にそれぞれ設けられているため、様々な方向からの外光が投影装置に入射されても、外光の照度を正確に検出することができる。これら照度センサの検出値を利用して、光源装置の強度を設定したので、投影光を適切な明るさにすることができる。
【図面の簡単な説明】
【０００７】
【図１】縦置きにした投影装置の斜視図である。
【図２】縦置きにした投影装置の斜視図である。
【図３】横置きにした投影装置の斜視図である。
【図４】縦置きにした投影装置を上面から見た図の一例で、上面７を除いた図である。
【図５】縦置きにした投影装置の一部分を上面から見た図の他の例で、上面７を除いた図である。
【図６】投影装置のブロック図である。
【図７】数値範囲で規定された複数の段からなる段階と、これら段にそれぞれ対応付けられた設定値とを示した図である。
【図８】投影装置の制御部が行う処理の流れを示したフローチャートである。
【図９】投影装置の制御部が行う処理の流れを示したフローチャートである。
【図１０】変形例における縦置きにした投影装置の斜視図である。
【図１１】変形例における投影装置の縦断面図である。
【発明を実施するための形態】
【０００８】
以下に、本発明を実施するための形態について、図面を用いて説明する。但し、以下に述べる実施形態には、本発明を実施するために技術的に好ましい種々の限定が付されている。そのため、本発明の技術的範囲を以下の実施形態及び図示例に限定するものではない。
【０００９】
図１は、縦置きにした投影装置１の前面、上面及び右側面を示した斜視図である。図２は、縦置きに投影装置１の後面、上面及び左側面を示した斜視図である。図３は、横置きにした投影装置１の前面、上面及び右側面を示した斜視図である。
【００１０】
図１〜図３に示すように、投影装置１が筐体２を有する。筐体２は六面体の箱状に、特に全ての面が長方形である直方体の箱状に形作られている。筐体２の前面３及び後面４の上下方向の長さが左右方向の長さよりも長く、左側面５及び右側面６の上下方向の長さが前後方向の長さより長く、上面７及び下面８の左右方向の長さが前後方向の長さよりも長い。
【００１１】
投影装置１は、筐体２に取り付けられた収納式の投影光学系１０を有する。投影装置１を使用して映像を投影する時には、投影光学系１０が筐体２の前面３から前方に突き出て、投影光学系１０が投影可能な状態になる。投影装置１を使用しない時には、投影光学系１０が筐体２の内側に収納される。
【００１２】
投影装置１を縦置きにする場合には（図１及び図２参照）、筐体２の下面８を下に向けてその下面８を設置面に載置する。更に投影光学系１０が筐体２の前面３から引き出された状態では、投影光学系１０による投影光の光軸が筐体２の前面３から下方斜め前に延び、投影光学系１０によって映像が設置面に投影される。
【００１３】
投影装置１を横置きにする場合には（図３参照）、筐体２の後面４を下に向けてその後面４を設置面に載置する。更に投影光学系１０が筐体２の前面３から引き出された状態では、投影光学系１０による投影光の光軸映像信号入力端子の前面３（この場合、前面３は上に向いている。）から前方斜め上に延び、投影光学系１０によって映像が前方に立てられたスクリーンに投影される。なお、投影装置１が横置きの場合において投影される映像は、投影装置１が縦置きの場合において投影される映像を９０°回転したものである。
【００１４】
筐体２の前面３、後面４、左側面５、右側面６及び上面７には、ガラスやアクリル板等の透光窓である透光部２３，２４，２５，２６，２７がそれぞれ設けられている。筐体２内の各透光部２３，２４，２５，２６，２７と対向する位置には、それぞれ照度センサ２３Ａ，２４Ａ，２５Ａ，２６Ａ，２７Ａ（図６参照）が設けられている（図４又は図５参照）。照度センサ２３Ａ，２４Ａ，２５Ａ，２６Ａ，２７Ａは、受光した光の照度を検出するものである。つまり、照度センサ２３Ａ，２４Ａ，２５Ａ，２６Ａ，２７Ａは、受光した光の照度を検出値として電気信号に変換し、その照度の検出値を表す電気信号を後述のメインコントローラ５０（図６参照）に出力する。図６に図示するＤ３，Ｄ４，Ｄ５，Ｄ６，Ｄ７は、それぞれ照度センサ２３Ａ，２４Ａ，２５Ａ，２６Ａ，２７Ａの検出値である。照度センサ２３Ａ，２４Ａ，２５Ａ，２６Ａ，２７Ａには，フォトトランジスタを使う品種，フォトダイオードを使う品種，フォトダイオードにアンプ回路を追加した品種の何れを用いても良い。
【００１５】
各透光部２３，２４，２５，２６，２７がそれぞれ筐体２の前面３、後面４、左側面５、右側面６及び上面７にそれぞれ設けられており、筐体２内の各透光部２３，２４，２５，２６，２７と対向する位置にそれぞれ照度センサ２３Ａ，２４Ａ，２５Ａ，２６Ａ，２７Ａが設けられている。これら照度センサ２３Ａ，２４Ａ，２５Ａ，２６Ａ，２７Ａは互いに異なる向きに設けられている。つまり、照度センサ２３Ａが前向きに設けられ、照度センサ２４Ａが後ろ向きに設けられ、照度センサ２５Ａが前から見て左向きに設けられ、照度センサ２６Ａが前から見て右向きに設けられ、照度センサ２７Ａが上向きに設けられている。従って、様々な方向からの外光が投影装置１に入射されても、外光の照度を正確に検出することができる。
【００１６】
照度センサ２３Ａ，２４Ａ，２５Ａ，２６Ａ，２７Ａの具体的な設置構造の一例を図４に示す。図４は、縦置きにした投影装置１を上から見て示した横断面図である。縦置きにした投影装置１の上部側の中央付近に固定部１００が設けられている。つまり、固定部１００は、筐体２の内側の上部の中央に設けられて、筐体２に固定されている。この固定部１００は透光部２３，２４，２５，２６，２７にそれぞれ対向する複数の面（固定部）を有し、これらの面には照度センサ２３Ａ，２４Ａ，２５Ａ，２６Ａ，２７Ａが取り付けられている。具体的には、照度センサ２３Ａ，２４Ａ，２５Ａ，２６Ａ，２７Ａはそれぞれ基板に実装されており、これら基板が固定部１００のうち透光部２３，２４，２５，２６，２７に対向する面にネジ等によって取り付けられている。つまり、複数の照度センサ２３Ａ，２４Ａ，２５Ａ，２６Ａ，２７Ａは、筐体２内に設けられた固定部１００の各面に設けられている。
【００１７】
照度センサ２３Ａ，２４Ａ，２５Ａ，２６Ａ，２７Ａの具体的な設置構造の別例を図５に示す。図５は、縦置きにした投影装置１の後面４を上から見て示した横断面図である。図５に示すように、後面４には、穴の透光部２４が形成されている。後面４であって透光部２４の周囲には、後面２４の内側に折り返された折り返し部が設けられている。折り返し部は枠部２４ｂ及びフランジ２４ｃから構成されている。枠部２４ｂが後面４の内側に突出するように設けられ、その枠部２４ｂが透光部２４を囲う。その枠部２４ｂの突端面には、フランジ２４ｃが形成され、そのフランジ２４ｃが枠部２４ｂから外方向に延出する。従って、後面４、枠部２４ｂ及びフランジ２４によってコ字状の断面形状が構成され、そのコ字状断面形状が透光部２４を囲うように設けられている。フランジ２４ｃに基板１０１がネジ１０２等で取り付けられている。透光部２４の一方側と他方側のそれぞれにおいて２ヶ所ずつネジ１０２で止められていることが望ましい。透光部２４と対向する位置の基板１０１の中央付近には照度センサ２４Ａが取り付けられている。つまり、複数の照度センサ２４Ａは、外面である後面４の折り返し部分（枠部２４ｂ及びフランジ２４ｃ）及び基板１０１を介して固定されている。照度センサ２３Ａ，２５Ａ，２６Ａ，２７Ａも照度センサ２４Ａと同様にして筐体２の前面３、後左側面５、右側面６及び上面７にそれぞれ取り付けられている。
【００１８】
図５は、投影装置１のブロック図である。
図５に示すように、投影装置１は映像信号入力端子４１、映像信号変換部４２、映像信号処理部４３、表示コントローラ４４、表示素子４５、駆動回路４６、光源装置４７、メインコントローラ（制御部）５０及びメモリ５１を備える。
【００１９】
映像信号入力端子４１は、筐体２の外面に設けられている。表示素子４５、表示コントローラ４４、駆動回路４６、光源装置４７、メインコントローラ５０及びメモリ５１は筐体２内に取り付けられている。
【００２０】
外部機器（例えば、パソコン、携帯電話機、多機能携帯電話機、再生装置）の映像出力端子が映像信号ケーブルを介して映像入力端子４１に接続されて、外部機器によって出力された映像信号が映像信号入力端子４１に入力される。
【００２１】
映像信号入力端子４１に入力される信号がアナログ映像信号の場合、映像信号変換部４２がその入力アナログ映像信号を所定のフォーマットのデジタル映像信号に変換する。映像信号入力端子４１に入力される信号がデジタル映像信号である場合、映像信号変換部４２がその入力デジタル映像信号を所定のフォーマットのデジタル映像信号に変換する。
【００２２】
映像信号処理部４３は、映像信号変換部４２によって出力された映像信号に対して各種の信号処理を行う。例えば、映像信号処理部４３は、映像信号変換部４２から入力した映像信号のスケーリングを行って、映像信号の画素数（解像度）を増減する。また、映像信号処理部４３は、スケーリングされた映像信号に基づく映像の座標変換（例えば、射影変換）を行うことによって、キーストーン補正若しくはフィッティング補正又はこれらの両方を行う。
映像信号処理部４３は、信号処理した映像信号を表示コントローラ４４に出力する。
表示コントローラ４４は表示素子４５を制御するとともに、駆動回路４６を介して光源装置４７を制御する。これにより、表示コントローラ４４は、表示素子４５の動作と光源装置４７の動作の同期をとる。
【００２３】
表示素子４５は、二次元アレイ状に配列された複数の画素等を有するＤＭＤ（デジタル・マイクロミラー・デバイス）、透過型ＬＣＤパネル（液晶表示パネル）又は反射型ＬＣＤパネルである。表示素子４５がＤＭＤである場合には、表示素子４５の画素が可動マイクロミラーであり、表示素子５４がＬＣＤパネルである場合には、表示素子４５の画素が液晶シャッター素子である。
【００２４】
駆動回路４６は光源装置４７を駆動する。具体的には、駆動回路４６は、メインコントローラ５０から調光信号を入力し、その調光信号のレベルに応じた強度で光源装置４７を発光させる。
【００２５】
光源装置４７は、表示素子４５に向けて可視光を照射するものである。具体的には、光源装置４７は、色分離方式、カラー光源方式又は時分割方式のものである。
【００２６】
色分離方式の光源装置４７は白色光源及び色分離器を有する。この方式の光源装置４７は、白色光源によって発せられた白色光を色分離器によって複数色（例えば、赤色、緑色、青色）に分離して、これらの色の光を表示素子４５に照射する。
カラー光源方式の光源装置４７は複数の光源（例えば、赤色光源、緑色光源、青色光源）を有する。この方式の光源装置４７は、複数の光源によって互いに異なる色の光を表示素子４５に照射する。
光源装置４７が色分離方式又はカラー光源方式である場合、表示素子４５が色毎にあり、光源装置４７によって出射された複数色の光が表示素子４５にそれぞれ照射され、各表示素子４５を透過又は反射した光が合成される。これにより、カラーの映像が生成され、その映像が投影光学系１０によって投影される。
【００２７】
時分割方式（フィールドシーケンシャル方式）の光源装置４７は複数の光源（例えば、赤色光源、緑色光源、青色光源）を有する。この方式の光源装置４７は、複数の光源によって異なる色の光（例えば、赤色光、緑色光、青色光）を順次繰り返して表示素子４５に照射する。光源装置４７の各色光の照射タイミングに同期して、表示素子４５が各色の映像を順次形成する。表示素子４５を透過又は反射した各色の光が時間で合成され、これによりカラーの映像が生成され、その映像が投影光学系１０によって投影される。
【００２８】
駆動回路４６は光源装置４７に供給する電力を変更可能なものであり、光源装置４７はその出射光の強度を変更可能なものである。駆動回路４６が光源装置４７への供給電力を増加させれば、光源装置４７の強度が増加し、駆動回路４６が光源装置４７への供給電力を低下させれば、光源装置４７の強度が低下する。駆動回路４６から光源装置４７への供給電力、つまり光源装置４７の強度は、メインコントローラ５０によって制御される。つまり、メインコントローラ５０が調光信号を駆動回路４６に出力することによって、その調光信号のレベルに応じた大きさの電力が駆動回路４６によって光源装置４７に供給され、その供給電力の大きさに応じた強度の光が光源装置４７によって発せられる。
【００２９】
メインコントローラ５０は、マイコン、ＤＳＰ（Digital Signal Processor）等のプロセッサである。
メモリ５１は、不揮発性の半導体メモリである。メモリ５１はメインコントローラ５０に内蔵されていてもよいし、メインコントローラ５０の外部に設けられてもよい。メモリ５１はメインコントローラ５０によって読み取り可能なものである。メモリ５１に各種のプログラムが記録されており、そのプログラムに従ってメインコントローラ５０が映像信号処理部４３及び表示コントローラ４４に各種の指令を出力することによって、映像信号処理部４３及び表示コントローラ４４がその指令に従った処理を実行する。
【００３０】
また、メモリ５１には、光源装置４７を制御するためのプログラム５１ａが記録されている。そのプログラム５１ａはメインコントローラ５０にとって実行可能なものであり、そのプログラム５１ａがメインコントローラ５０によって実行されることによって、光源装置４７の強度がメインコントローラ５０によって設定される。つまり、プログラム５１ａは、光源装置４７に出力する調光信号のレベルを決定するための処理をメインコントローラ５０に実行させるものである。
【００３１】
プログラム５１ａには、図７に示すように、複数の段からなる段階が組み込まれている。これらの段は、数値範囲によって規定されたものである。数値範囲とは、下閾値とそれよりも高い上閾値とによって定められたものであって、下閾値を超えて上閾値以下の範囲をいう。数値範囲の数値は、照度の単位であるルクス[lx]である。ルクス[lx]は、ルーメン毎平方メートル（lm/m2）であり、1平方メートルの面が1ルーメンの光束で照らされるときの照度である。また、プログラム５１ａには、複数の設定値が格納されている。これら設定値は段にそれぞれ対応づけられている。これら設定値は、段階的な値となっている。設定値の値は、光束の単位であるルーメン[lm]である。
【００３２】
図７に示す例では、５段からなる段階が組み込まれており、第１段の数値範囲が０を超え且つ１００以下の範囲であり、第２段の数値範囲が１００を超え且つ２００以下の範囲であり、第３段の数値範囲が２００を超え且つ３００以下の範囲であり、第４段の数値範囲が４００を超え５００以下の範囲であり、第５段の数値範囲が５００を超える範囲である。また、第１段に対応付けられた設定値が２５００であり、第２段に対応付けられた設定値が３０００であり、第３段に対応付けられた設定値が３５００であり、第４段に対応付けられた設定値が４０００であり、第５段に対応付けられた設定値が４５００である。なお、図７に示す段階の段数、数値範囲の具体的な数値、設定値の具体的な数値は一例であり、適宜変更してもよい。
【００３３】
プログラム５１ａに従ってメインコントローラ５０が実行する処理は二通りある。一方は、図８に示す通りであり、他方は、図９に示す通りである。まず、図８に示す処理の流れについて説明する。
【００３４】
ステップＳ１では、メインコントローラ５０が、複数の段にそれぞれ対応づけられた複数の計数値（図７の例では、Ｎ１〜Ｎ５）をゼロにリセットする。
ステップＳ２では、メインコントローラ５０が、透光部２３に対応する位置に設けられた照度センサ２３Ａによって出力される検出値Ｄ３を読み込む。
ステップＳ３では、メインコントローラ５０が、検出値Ｄ３がゼロであるか否かを判定する。メインコントローラ５０が検出値Ｄ３をゼロと判定した場合には（ステップＳ３：ＮＯ）、メインコントローラ５０の処理がステップＳ４に移行する。メインコントローラ５０が検出値Ｄ３をゼロと判定した場合には（ステップＳ３：ＹＥＳ）、メインコントローラ５０の処理がステップＳ６に移行する。
ステップＳ４では、メインコントローラ５０が、検出値Ｄ３を各段の数値範囲と比較し、検出値Ｄ３が複数の段のうち何れの段の数値範囲に属するかを判定する。
ステップＳ５では、メインコントローラ５０は、検出値Ｄ３が属する数値範囲の段に対応付けられた計数値に１を加算することによって、その計数値をカウントアップする。そして、メインコントローラ５０の処理がステップＳ６に移行する。
【００３５】
ステップＳ３においてメインコントローラ５０が検出値Ｄ３をゼロであると判定した場合には（ステップＳ３：ＹＥＳ）、メインコントローラ５０の処理がステップＳ６に移行する。
メインコントローラ５０は、照度センサ２４Ａ，２５Ａ，２６Ａ，２７Ａによって出力される検出値Ｄ４，Ｄ５，Ｄ６，Ｄ７についてもステップＳ２〜ステップＳ５と同様の処理を行う。
【００３６】
ステップＳ６では、メインコントローラ５０は、図７の「段番号」の第何段に属するものが多いのかを確認し、最大の計数値をとった段を選択する。
ステップＳ７では、メインコントローラ５０は、ステップＳ６において選択した段の数が１であるか、２以上であるかを判定する。メインコントローラ５０が選択した段の数を１と判定した場合には、メインコントローラ５０の処理がステップＳ９に移行する。メインコントローラ５０が選択した段の数を２以上であると判定した場合には、メインコントローラ５０の処理がステップＳ８に移行する。
【００３７】
ステップＳ８では、メインコントローラ５０は、ステップＳ６で選択した段の中から、１以上の計数値をとった段のうち中心の段に近い一つの段を選択する。そして、メインコントローラ５０の処理は、ステップＳ９に移行する。
【００３８】
ステップＳ９では、メインコントローラ５０は、ステップＳ６又はステップＳ８において選択した一つの段に対応する設定値を読み込む。そして、メインコントローラ５０は、その設定値に従ったレベルの調光信号を駆動回路４６に出力する。その調光信号のレベルに応じた大きさの電力が駆動回路４６によって光源装置４７に供給され、その供給電力の大きさに応じた強度の光が光源装置４７によって発せられる。
そして、メインコントローラ５０の処理が終了する。
【００３９】
図９に示す処理について説明する。
ステップＳ２１では、メインコントローラ５０が、照度センサ２３Ａ〜２７Ａによって出力される検出値Ｄ３〜Ｄ７を読み込む。
ステップＳ２２では、メインコントローラ５０が、検出値Ｄ３〜Ｄ７を比較することによって、検出値Ｄ３〜Ｄ７の中から最大値（最大の検出値の数が複数であれば、一つを最大値とし、他を最大値でないとみなす）及び最小値（最小の検出値の数が複数であれば、一つを最小値とし、他を最小値でないとみなす）以外のものを選択する。
ステップＳ２３では、メインコントローラ５０が、検出値Ｄ３〜Ｄ７のうちステップＳ２２で選択したもの平均値を算出する。
ステップＳ２４では、メインコントローラ５０が、ステップＳ２３で算出した各段の数値範囲と比較し、その平均値が複数の段のうち何れの段の数値範囲に属するかを判定して、その平均値が属する段を選択する。
ステップＳ２５では、メインコントローラ５０が、ステップＳ２４で選択した一つの段に対応する設定値を読み込む。そして、メインコントローラ５０は、その設定値に従ったレベルの調光信号を駆動回路４６に出力する。その調光信号のレベルに応じた大きさの電力が駆動回路４６によって光源装置４７に供給され、その供給電力の大きさに応じた強度の光が光源装置４７によって発せられる。
【００４０】
様々な向きに設けられた照度センサ２３Ａ〜２７Ａの検出値Ｄ３〜Ｄ７を利用して、光源装置４７の強度を設定したので、投影光を適切な明るさにすることができる。
【００４１】
以下に、段階、数値範囲[lx]、設定値[lm]等が図７に示す具体的な数値である場合、具体的な例を挙げて、光源装置４７の明るさが照明器と投影装置１との位置関係によってどのようになるか説明する。
【００４２】
〔例１〕
図１に示すように投影装置１を縦置きにした場合、照明器Ａが投影装置１の真上にあったものとする。その場合、検出値Ｄ３，Ｄ４，Ｄ５，Ｄ６，Ｄ７はそれぞれ230 [lx], 220 [lx], 240 [lx], 230 [lx], 600 [lx]となる。そのため、検出値Ｄ３，Ｄ４，Ｄ５，Ｄ６が第３段の数値範囲に属し、検出値Ｄ７が第５段の数値範囲に属する。そうすると、第３段の数値範囲に属する検出値Ｄ３，Ｄ４，Ｄ５，Ｄ６の数が４であり、それが最大値である。それゆえ、メインコントローラ５０が図８に示す処理を実行した場合、光源装置４７の明るさが第３段に対応付けられた設定値（3500 [lm] ）に制御される。
【００４３】
一方、検出値Ｄ４と検出値Ｄ７がそれぞれ最小値と最大値であるから、それ以外の検出値Ｄ３，Ｄ５，Ｄ６の平均値は233.3 [lx] であり、その平均値は第３段の数値範囲に属する。そうすると、メインコントローラ５０が図９に示す処理を実行した場合、光源装置４７の明るさが第３段に対応付けられた設定値（3500 [lm] ）に制御される。
【００４４】
〔例２〕
図１に示すように投影装置１を縦置きにした場合、照明器Ｂが投影装置１の斜め上にあったものとする。その場合、検出値Ｄ３，Ｄ４，Ｄ５，Ｄ６，Ｄ７はそれぞれ230 [lx], 220 [lx], 320 [lx], 120 [lx], 380 [lx]となる。そのため、検出値Ｄ３，Ｄ４が第３段の数値範囲に属し、検出値Ｄ５，Ｄ７が第４段の数値範囲に属し、検出値Ｄ６が第２段の数値範囲に属する。第３段の数値範囲に属する検出値Ｄ３，Ｄ４の数が２であり、第４段の数値範囲に属する検出値Ｄ５，Ｄ６の数が２であり、それらが最大値である。また、第３段及び第４段のうち、１以上の計数値をとった段（第２段、第３段、第４段）のうち中心の段（第３段）に近い一つの段は第３段である。そうすると、メインコントローラ５０が図８に示す処理を実行した場合、光源装置４７の明るさが第３段に対応付けられた設定値（3500 [lm] ）に制御される。
【００４５】
一方、検出値Ｄ６と検出値Ｄ７がそれぞれ最小値と最大値であるから、それ以外の検出値Ｄ３，Ｄ４，Ｄ５の平均値は256.7 [lx] であり、その平均値は第３段の数値範囲に属する。そうすると、メインコントローラ５０が図９に示す処理を実行した場合、光源装置４７の明るさが第３段に対応付けられた設定値（3500 [lm] ）に制御される。
【００４６】
〔例３〕
図１に示すように投影装置１を縦置きにした場合、面発光型の照明器Ｃが投影装置１の真上にあったものとする。その場合、検出値Ｄ３，Ｄ４，Ｄ５，Ｄ６，Ｄ７はそれぞれ340 [lx], 330 [lx], 320 [lx], 320 [lx], 600 [lx]となる。そのため、四つの検出値Ｄ３，Ｄ４，Ｄ５，Ｄ６が第４段の数値範囲に属するため、メインコントローラ５０が図８に示す処理を実行した場合に光源装置４７の明るさが第４段に対応付けられた設定値（4000 [lm] ）に制御される。
【００４７】
一方、検出値Ｄ６が最小値（最小の検出値Ｄ５，６の数が複数であるから、一方の検出値Ｄ６を最小とし、他方の検出値Ｄ５を最小値でないとみなす。）であり、検出値Ｄ７が最大値であるから、それ以外の検出値Ｄ３，Ｄ４，Ｄ５の平均値は330.0 [lx] であり、その平均値は第３段の数値範囲に属する。そうすると、メインコントローラ５０が図９に示す処理を実行した場合、光源装置４７の明るさが第３段に対応付けられた設定値（3500 [lm] ）に制御される。
【００４８】
〔例４〕
図２に示すように投影装置１を横置きにした場合、照明器Ｄが投影装置１の真上にあったものとする。その場合、検出値Ｄ３，Ｄ４，Ｄ５，Ｄ６，Ｄ７はそれぞれ600 [lx], 0 [lx], 240 [lx], 230 [lx], 220 [lx]となる。そのため、検出値Ｄ５，Ｄ６，Ｄ７が第３段の数値範囲に属し、検出値Ｄ３が第５段の数値範囲に属し、検出値Ｄ４は除外されて何れの段にも属さない。それゆえ、第３段の数値範囲に属する検出値Ｄ５，Ｄ６，Ｄ７の数が最大値であるため、メインコントローラ５０が図８に示す処理を実行した場合、光源装置４７の明るさが第３段に対応付けられた設定値（3500 [lm] ）に制御される。投影装置１を横置きにした場合、照度センサ２４が隠れてしまうため、照度センサ２４の検出値Ｄ４を利用せずに、光源装置４７の強度を設定したので、その強度が外光の明るさに適切なものとなる。
【００４９】
一方、検出値Ｄ４と検出値Ｄ３がそれぞれ最小値と最大値であるから、それ以外の検出値Ｄ５，Ｄ６，Ｄ７の平均値は230.0 [lx] であり、その平均値は第３段の数値範囲に属する。そうすると、メインコントローラ５０が図９に示す処理を実行した場合、光源装置４７の明るさが第３段に対応付けられた設定値（3500 [lm] ）に制御される。投影装置１を横置きにした場合、照度センサ２４が隠れてしまうため、照度センサ２４の検出値Ｄ４を利用せずに、光源装置４７の強度を設定したので、その強度が外光の明るさに適切なものとなる。
【００５０】
〔例５〕
図２に示すように投影装置１を横置きにした場合、照明器Ｅが投影装置１の斜め上にあったものとする。その場合、検出値Ｄ３，Ｄ４，Ｄ５，Ｄ６，Ｄ７はそれぞれ350 [lx], 0 [lx], 230 [lx], 220 [lx], 120 [lx]となる。そのため、検出値Ｄ５，Ｄ６が第３段の数値範囲に属し、検出値Ｄ３が第４段の数値範囲に属し、検出値Ｄ７が第２段の数値範囲に属し、検出値Ｄ４は除外されて何れの段にも属さない。それゆえ、第３段の数値範囲に属する検出値Ｄ５，Ｄ６の数が最大値であるため、メインコントローラ５０が図８に示す処理を実行した場合、光源装置４７の明るさが第３段に対応付けられた設定値（3500 [lm] ）に制御される。
【００５１】
一方、検出値Ｄ４と検出値Ｄ３がそれぞれ最小値と最大値であるから、それ以外の検出値Ｄ５，Ｄ６，Ｄ７の平均値は190.0 [lx] であり、その平均値は第２段の数値範囲に属する。そうすると、メインコントローラ５０が図９に示す処理を実行した場合、光源装置４７の明るさが第２段に対応付けられた設定値（3000 [lm] ）に制御される。
【００５２】
〔例６〕
図２に示すように投影装置１を横置きにした場合、面発光型の照明器Ｆが投影装置１の真上にあったものとする。その場合、検出値Ｄ３，Ｄ４，Ｄ５，Ｄ６，Ｄ７はそれぞれ600 [lx], 0 [lx], 320 [lx], 320 [lx], 330 [lx]となる。そのため、検出値Ｄ５，Ｄ６，Ｄ７が第４段の数値範囲に属し、検出値Ｄ３が第５段の数値範囲に属し、検出値Ｄ４は除外されて何れの段にも属さない。それゆえ、第４段の数値範囲に属する検出値Ｄ５，Ｄ６，Ｄ７の数が最大値であるため、メインコントローラ５０が図８に示す処理を実行した場合、光源装置４７の明るさが第４段に対応付けられた設定値（4000 [lm] ）に制御される。
【００５３】
一方、検出値Ｄ４と検出値Ｄ３がそれぞれ最小値と最大値であるから、それ以外の検出値Ｄ５，Ｄ６，Ｄ７の平均値は323.3 [lx] であり、その平均値は第４段の数値範囲に属する。そうすると、メインコントローラ５０が図９に示す処理を実行した場合、光源装置４７の明るさが第４段に対応付けられた設定値（4000 [lm] ）に制御される。
【００５４】
続いて、投影装置１に設けられる照度センサ６８の取付構造について図１０及び図１１を参照して説明する。図１０は、縦置きにした投影装置１の斜視図である。図１１は、縦置きにした投影装置１の筐体２の前面３と上面７の角部を右から見て示した断面図である。
【００５５】
図１０に示すように、筐体２の前面３のうち上部の縁にはガラスやアクリル板等の透光窓である透光部６０が設けられ、筐体２の上面７のうち前の縁には透光部６１が設けられ、これら透光部６０，６１が隣接する。図１１に示すように、筐体２の内部であって前面３と上面７の角部近傍には、回転軸６３が取り付けられている。この回転軸６３は、筐体２の上面７及び前面３に対して平行に設けられているとともに、左右方向に延在する。この回転軸６３に回転体６４が支持されている。つまり、回転体６４に軸孔６５が形成され、回転軸６３が軸孔６５に通されて、回転軸６３に直交する方向の回転体６４の荷重が回転軸６３に受けられている。そのため、回転体６４は、回転軸６３を中心にして回転可能に設けられている。回転体６４の外面のうち回転軸６３に対して垂直な方向へ向いた面６６には、照度センサ６８が設けられている。この照度センサ６８は、受光した光の照度を検出して、その検出値を電気信号として後述のメインコントローラ５０（図５参照）に出力する。
【００５６】
また、面６６の反対面６７には重り６９が設けられている。回転体６４、照度センサ６８及び重り６９の全体として重心は回転軸６３から面６７側にずれている。なお、回転体６４及び照度センサ６８の全体としての重心が回転軸６３から面６７側にずれているのであれば、重り６９を設けなくてもよい。
【００５７】
重力の働く向きに筐体２の下面８を向け、その反対向きに上面７を向け、投影装置１を縦置きにする（図１０参照）。そうすると、回転体６４が回転軸６３を中心にして回転し、回転体６４の面６６が上に向き、照度センサ６８が上に向く。これにより、照度センサ６８が透光部６１に対向する。そうすると、外光（天井照明の光等）が透光窓６１を透過して、照度センサ６８に入射する。
【００５８】
一方、重力の働く向きに筐体２の後面４を向け、その反対向きである上面側に前面３を向け、投影装置１を横置きにする（図３参照）。そうすると、回転体６４が回転軸６３を中心にして回転し、回転体６４の面６６が上に向き、照度センサ６８が上に向く。これにより、照度センサ６８が透光窓６０に対向する。そうすると、外光（天井照明の光等）が透光窓６０を透過して、照度センサ６８に入射する。
【００５９】
以上のように投影装置１を縦置きにしようと横置きにしようと、照度センサ６８を常に上に向けることができる。そのため、投影装置１を縦置きにしようと横置きにしようと、天井照明等からの外光の照度を一つの照度センサ６８によって正確に検出することができる。
【００６０】
以上、本発明のいくつかの実施形態を説明したが、本発明の範囲は、上述の実施の形態に限定するものではなく、特許請求の範囲に記載された発明の範囲とその均等の範囲を含む。
例えば、透光部２３，２４，２５，２６，２７，６０，６１は、ガラスやアクリル板等の透光窓であるとしたが、これに限らず、外面に開口部が設けられているだけで何も設けられていない構造でも良い。
また、下面８には透光窓が設けられておらず、下面８の近傍には、照度センサも設けられていない構造としたが、これに限らず、下面８に透光窓が設けられ、下面８の透光窓と対向する位置に照度センサが設けられている構造であっても良い。
【００６１】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
互いに異なる向きに向いた複数の外面を有した筐体と、
前記筐体内に設けられた表示素子と、
前記筐体内に設けられた光源装置と、
前記筐体に取り付けられ、前記表示素子に照射された光を投影する投影光学系と、
前記複数の外面内にそれぞれ設けられ、受光した光の照度を検出する複数の照度センサと、
前記複数の照度センサによって出力された複数の検出値を利用して前記光源装置の強度を設定する制御部と、を備える、
ことを特徴とする投影装置。
＜請求項２＞
前記複数の外面には、それぞれ透光部が設けられ、
前記透光部から入射された前記光の照度を検出する前記照度センサは、前記透光部と対向する位置に設けられている、
ことを特徴とする請求項１に記載の投影装置。
＜請求項３＞
前記制御部が、
数値範囲で規定された複数の段からなる段階を利用して、前記複数の検出値を前記複数の段の数値範囲と比較し、前記複数の検出値が前記複数の段のうち何れの段の数値範囲に属するかを判定する判定処理と、
前記複数の段に属する検出値の数を前記複数の段ごとに計数する計数処理と、
前記複数の段のうち、前記計数処理によって計数した計数値の中で最大値をとる段に対応付けられた設定値に応じた強度で前記光源装置を発光させる調光処理と、を実行する、
ことを特徴とする請求項１又は２に記載の投影装置。
＜請求項４＞
前記制御部が、
前記複数の検出値のうち最大値と最小値を除く検出値の平均値を算出する平均値算出処理と、
数値範囲で規定された複数の段からなる段階を利用して、前記平均値前記複数の段の数値範囲と比較し、前記平均値が前記複数の段のうち何れの段の数値範囲に属するかを判定する判定処理と、
前記複数の段のうち、前記平均値が属する段に対応付けられた設定値に応じた強度で前記光源装置を発光させる調光処理と、を実行する、
ことを特徴とする請求項１又は２に記載の投影装置。
＜請求項５＞
前記複数の照度センサは、前記筐体内に設けられた固定部の各面に設けられている、又は、前記外面の折り返し部分に基板を介して固定されている、
ことを特徴とする請求項１乃至４の何れか一項に記載の投影装置。
【符号の説明】
【００６２】
１  投影装置
２  筐体
３  前面
４  後面
５  左側面
６  右側面
１０  投影光学系
２３，２４，２５，２６，２７  照度センサ
４５  表示素子
５０  メインコントローラ
【図１】
2015055687.tif 000003
【図２】
2015055687.tif 000004
【図３】
2015055687.tif 000005
【図４】
2015055687.tif 000006
【図５】
2015055687.tif 000007
【図６】
2015055687.tif 000008
【図７】
2015055687.tif 000009
【図８】
2015055687.tif 000010
【図９】
2015055687.tif 000011
【図１０】
2015055687.tif 000012
【図１１】
2015055687.tif 000013